(57)【要約】      （修正有）【課題】太ももの内外側にある筋肉および筋を充分に鍛錬することができるニーリング式足部健康機を提供する。【解決手段】第１ベースプレート１０と、第２ベースプレート５０と、連接台９０と、を含み、第１ベースプレート１０と第２ベースプレート５０は、それぞれ連接台９０の両側に連接され、連接台を中心として左右に対称し、円弧形状を呈し、その上面に円弧形状を呈する案内溝１１，１２が一つ以上設けられ、プレートの下面には、第１ベースプレートと第２ベースプレートとに設けられた案内溝に応じてローラ２１が複数設けられ、第１ベースプレートと第２ベースプレートの連接台に対向する側面に枢着台１４，１５が設けられ、二つのプレートの下面は、それぞれ二つの枢着台に枢着され、第１ベースプレート１０と第２ベースプレート５０は、枢着構造を介して連接台９０に枢着される。【選択図】図１
0003160067.tif 000002
【実用新案登録請求の範囲】
【請求項１】
第１ベースプレートと、第２ベースプレートと、連接台と、を含み、前記第１ベースプレートと前記第２ベースプレートは、それぞれ前記連接台の両側に連接され、前記連接台を中心として左右に対称し、円弧形状を呈し、その上面に円弧形状を呈する案内溝が一つ以上設けられ、プレートの下面には、前記第１ベースプレートと前記第２ベースプレートとに設けられた前記案内溝に応じてローラが複数設けられ、前記第１ベースプレートと前記第２ベースプレートの前記連接台に対向する側面に枢着台が設けられ、前記二つのプレートの下面は、それぞれ前記二つの枢着台に枢着され、これにより、前記二つのプレートは、円弧軌跡に沿って前記第１ベースプレートと前記第２ベースプレートをスライド可能になり、前記第１ベースプレートと前記第２ベースプレートは、枢着構造を介して前記連接台に枢着され、前記枢着構造により、前記第１ベースプレートと前記第２ベースプレートは、下に折畳んで収納し、又は上に折畳んで展開することができ、
上記のような構造によれば、両足がそれぞれ二つプレートにニーリングするときには、両足を外側に展開すると、二つプレートがそれぞれ外側にスライドし、なお、両足を内側にきつく挟むと、二つプレートがそれぞれ内側にスライドすることを特徴とするニーリング式足部健康機。
【請求項２】
前記第１ベースプレートと前記第２ベースプレートは、それぞれ一つの剖開溝を含み、前記剖開溝は、前記第１ベースプレートと前記第２ベースプレートの中央に近接する箇所に設けられ、その下面に規制具が設けられ、ロック具により、前記規制具がそれぞれ前記第１ベースプレートと前記第２ベースプレートの上面に位置する前記プレートに結合され、前記第１ベースプレートと前記第２ベースプレートの下面の前記剖開溝の両端の近傍には、第１滑り車と、第２滑り車と、がそれぞれ枢着され、前記第１滑り車と前記第２滑り車の近傍と、前記規制具の両側および中央には、第１定位構造と、第２定位構造と、第３定位構造と、第４定位構造と、第５定位構造と、が設けられ、前記第１ベースプレートと前記第２ベースプレートには、弾性付きロープがそれぞれ配され、前記弾性付きロープは、第１結合端と、第２結合端と、をそれぞれ有し、前記第１結合端は、前記規制具の前記第３定位構造と前記第４定位構造と前記第５定位構造のうちの一つに固定され、前記第２結合端は、内側にある第１滑り車を経由して、外側にある第２滑り車を経由して、前記第２滑り車の近傍にある前記第２定位構造に固定され、上記のような構造によれば、両足の外側への展開運動をすることができることを特徴とする、請求項１に記載のニーリング式足部健康機。
【請求項３】
前記弾性付きロープの前記第１結合端は、内側の前記第１滑り車の近傍にある前記第１定位構造に固定され、前記第２結合端は、内側にある前記第１滑り車を経由して、外側にある前記第２滑り車を経由して、前記規制具の前記第３定位構造と前記第４定位構造と前記第５定位構造のうちの一つに固定され、上記のような構造によれば、両足の内側へのきつく挟み運動をすることができることを特徴とする、請求項２に記載のニーリング式足部健康機。
【考案の詳細な説明】
【技術分野】
【０００１】
本考案は、足部健康機に関し、特に、足部の内外側にある筋肉を充分に鍛錬することができるニーリング式足部健康機に関するものである。
【背景技術】
【０００２】
従来の健康機は、身体の各部の筋肉を鍛錬するためのものが色々ある。足部を鍛錬する健康機は、ジョギング式健康機、足踏み式健康機と筋伸ばせ式健康機などのものがある。
【考案の概要】
【考案が解決しようとする課題】
【０００３】
しかしながら、ジョギング式健康機、足踏み式健康機と筋伸ばせ式健康機などの足部を鍛錬する従来の健康機は、太ももの内外側にある筋肉および筋を鍛錬するためのものが殆どない。
本考案の主な目的は、太ももの内外側にある筋肉および筋を充分に鍛錬することができるニーリング式足部健康機を提供することにある。
【課題を解決するための手段】
【０００４】
本考案のニーリング式足部健康機によると、第１ベースプレートと、第２ベースプレートと、連接台と、を含み、前記第１ベースプレートと前記第２ベースプレートは、それぞれ前記連接台の両側に連接され、前記連接台を中心として左右に対称し、円弧形状を呈し、その上面に円弧形状を呈する案内溝が一つ以上設けられ、プレートの下面には、前記第１ベースプレートと前記第２ベースプレートとに設けられた前記案内溝に応じてローラが複数設けられ、前記第１ベースプレートと前記第２ベースプレートの前記連接台に対向する側面に枢着台が設けられ、前記二つのプレートの下面は、それぞれ前記二つの枢着台に枢着され、これにより、前記二つのプレートは、円弧軌跡に沿って前記第１ベースプレートと前記第２ベースプレートをスライド可能になり、前記第１ベースプレートと前記第２ベースプレートは、枢着構造を介して前記連接台に枢着され、前記枢着構造により、前記第１ベースプレートと前記第２ベースプレートは、下に折畳んで収納し、又は上に折畳んで展開することができ、上記のような構造によれば、両足がそれぞれ二つプレートにニーリングするときには、両足を外側に展開すると、二つプレートがそれぞれ外側にスライドし、なお、両足を内側にきつく挟むと、二つプレートがそれぞれ内側にスライドすることを特徴とする。
【０００５】
本考案のニーリング式足部健康機によると、前記第１ベースプレートと前記第２ベースプレートは、それぞれ一つの剖開溝を含み、前記剖開溝は、前記第１ベースプレートと前記第２ベースプレートの中央に近接する箇所に設けられ、その下面に規制具が設けられ、ロック具により、前記規制具がそれぞれ前記第１ベースプレートと前記第２ベースプレートの上面に位置する前記プレートに結合され、前記第１ベースプレートと前記第２ベースプレートの下面の前記剖開溝の両端の近傍には、第１滑り車と、第２滑り車と、がそれぞれ枢着され、前記第１滑り車と前記第２滑り車の近傍と、前記規制具の両側および中央には、第１定位構造と、第２定位構造と、第３定位構造と、第４定位構造と、第５定位構造と、が設けられ、前記第１ベースプレートと前記第２ベースプレートには、弾性付きロープがそれぞれ配され、前記弾性付きロープは、第１結合端と、第２結合端と、をそれぞれ有し、前記第１結合端は、前記規制具の前記第３定位構造と前記第４定位構造と前記第５定位構造のうちの一つに固定され、前記第２結合端は、内側にある第１滑り車を経由して、外側にある第２滑り車を経由して、前記第２滑り車の近傍にある前記第２定位構造に固定され、上記のような構造によれば、両足の外側への展開運動をすることができることを特徴とする。
【０００６】
本考案のニーリング式足部健康機によると、前記弾性付きロープの前記第１結合端は、内側の前記第１滑り車の近傍にある前記第１定位構造に固定され、前記第２結合端は、内側にある前記第１滑り車を経由して、外側にある前記第２滑り車を経由して、前記規制具の前記第３定位構造と前記第４定位構造と前記第５定位構造のうちの一つに固定され、上記のような構造によれば、両足の内側へのきつく挟み運動をすることができることを特徴とする。
【考案の効果】
【０００７】
本考案のニーリング式足部健康機によれば、次のような効果がある。
（１）両足がそれぞれ二つプレートにニーリングするときには、両足を外側に展開すると、二つプレートがそれぞれ外側にスライドし、なお、両足を内側にきつく挟むと、二つプレートがそれぞれ内側にスライドし、両足の展開運動ときつく挟み運動を繰り返すことにより、太ももの内外側にある筋肉および筋を充分に鍛錬することができる。
【０００８】
（２）第１ベースプレートと第２ベースプレートは、枢着構造を介して連接台に枢着され、枢着構造により、第１ベースプレートと第２ベースプレートは、下に折畳んで収納することができるため、収納スペースを大幅に減少することができ、且つ連接台にハンドルが設けられるため、本考案の足部健康機の携帯が便利になる。
【図面の簡単な説明】
【０００９】
【図１】本考案の実施例１のニーリング式足部健康機の分解斜視図である。
【図２】本考案の実施例１のニーリング式足部健康機の折畳まれた状態の模式図である。
【図３】本考案の実施例１のニーリング式足部健康機の展開された状態の模式図である。
【図４】本考案の実施例１のニーリング式足部健康機の使用状態を示す側面図である。
【図５】本考案の実施例１のニーリング式足部健康機の下面図である。
【図６】本考案の実施例１のニーリング式足部健康機の使用状態を示す模式図である。
【図７】本考案の実施例２のニーリング式足部健康機の下面図である。
【図８】本考案の実施例２のニーリング式足部健康機の使用状態を示す模式図である。
【図９】本考案の実施例３のニーリング式足部健康機の下面図である。
【考案を実施するための形態】
【００１０】
以下、本考案の実施の形態を図面に基づいて説明する。まず、図１乃至図９を参照する。本考案のニーリング式足部健康機は、第１ベースプレート１０と、第２ベースプレート５０と、連接台９０と、を含み、前記第１ベースプレート１０と前記第２ベースプレート５０は、それぞれ前記連接台９０の両側に連接され、前記連接台９０を中心として左右に対称する。
【００１１】
前記第１ベースプレート１０と前記第２ベースプレート５０は、円弧形状を呈し、その上面に円弧形状を呈する、第１案内溝１１と、第２案内溝１２と、が設けられ、前記第１ベースプレート１０及び前記第２ベースプレート５０の上面と、前記第１案内溝１１と、前記第２案内溝１２は、中央が両側よりも低い円弧形状を呈する。プレート２０の下面には、前記第１ベースプレート１０と前記第２ベースプレート５０とに設けられた前記案内溝１１、１２に応じてローラ２１が複数設けられる。前記第１ベースプレート１０と前記第２ベースプレート５０の前記連接台９０に対向する側面に枢着台１５が設けられ、前記枢着台１５に枢着ロッド１５１が設けられ、前記プレート２０の下面に枢着溝２２が設けられ、前記枢着ロッド１５１と前記枢着溝２２により、前記プレート２０が前記枢着台１５に枢着される。前記第１ベースプレート１０と前記第２ベースプレート５０は、それぞれ一つの剖開溝１３を含み、前記剖開溝１３は、前記第１ベースプレート１０と前記第２ベースプレート５０の中央に近接する箇所に設けられ、その下面に規制具３０が設けられ、ロック具３１により、前記規制具３０がそれぞれ前記第１ベースプレート１０と前記第２ベースプレート５０の上面に位置する前記プレート２０に結合され、前記第１ベースプレート１０と前記第２ベースプレート５０の下面の前記剖開溝１３の両端の近傍には、第１滑り車３２と、第２滑り車３３と、がそれぞれ枢着され、前記第１滑り車３２と前記第２滑り車３３の近傍と、前記規制具３０の両側および中央には、第１定位構造３２１と、第２定位構造３３１と、第３定位構造３０１と、第４定位構造３０２と、第５定位構造３０３と、が設けられ、前記第１ベースプレート１０と前記第２ベースプレート５０には、弾性付きロープ４０がそれぞれ配され、前記弾性付きロープ４０は、第１結合端４１と、第２結合端４２と、をそれぞれ有し、前記第１結合端４１は、前記規制具３０の前記第３定位構造３０１と前記第４定位構造３０２と前記第５定位構造３０３のうちの一つに固定され、前記第２結合端４２は、内側にある第１滑り車３２を経由して、外側にある第２滑り車３３を経由して、前記第２滑り車３３の近傍にある前記第２定位構造３３１に固定される。上記のような構造によれば、両足の外側への展開運動をすることができる。また、前記弾性付きロープ４０の前記第１結合端４１は、内側の前記第１滑り車３２の近傍にある前記第１定位構造３２１に固定され、前記第２結合端４２は、内側にある前記第１滑り車３２を経由して、外側にある前記第２滑り車３３を経由して、前記規制具３０の前記第３定位構造３０１と前記第４定位構造３０２と前記第５定位構造３０３のうちの一つに固定されると、このような構造によれば、両足の内側へのきつく挟み運動をすることができる。
【００１２】
枢着ロッド１５１と枢着溝２２の間に軸受１５２を設けてもよい。そうすると、枢着部位のスライドは更にスムーズになる。
【００１３】
前記枢着台１５を枢着溝の形状にし、前記プレート２０の下面を枢着ロッドの形状にしてもよい。そうすると、前記枢着台１５に前記プレート２０を枢着することもできる。
【００１４】
前記第１ベースプレート１０と前記第２ベースプレート５０には、前記連接台９０に向き枢着構造９１である枢着台１４、５４が設けられ、前記連接台９０には、前記枢着台１４、５４に対応し枢着構造９１である枢着溝９１１が設けられる。前記枢着溝９１１に前記枢着台１４、５４を組付けて、前記枢着溝９１１に設けられた貫通孔９１１１と、前記枢着台１４、５４に設けられた貫通孔１４１、５４１とに、枢着構造９１であるピン９１２を挿通すると、前記第１ベースプレート１０と前記第２ベースプレート５０は、下に折畳んで収納し、又は上に折畳んで展開することができる。前記連接台９０にハンドル９２が設けられ、前記第１ベースプレート１０と前記第２ベースプレート５０を下に折畳んだ後、前記ハンドル９２により、ユーザは本考案のニーリング式足部健康機を別の場所に持ち込むことができる。
【００１５】
前記連接台には、電子計数器９３が設けられてもよい。
【００１６】
前記弾性付きロープを取外して、ユーザの両足がそれぞれ二つプレート２０にニーリングするときには、両足を外側に展開すると、二つプレート２０がそれぞれ外側にスライドし、なお、両足を内側にきつく挟むと、二つプレート２０がそれぞれ内側にスライドし、両足の展開運動ときつく挟み運動を繰り返すことにより、太ももの内外側にある筋肉および筋を充分に鍛錬することができる。
【００１７】
図１、図４、図５と図６に示すように、２本の弾性付きロープ４０は、第１結合端４１と、第２結合端４２と、をそれぞれ有する。前記第１結合端４１は、それぞれ前記第１ベースプレート１０と前記第２ベースプレート５０との前記規制具３０の前記第３定位構造３０１に固定され、前記第２結合端４２は、内側にある第１滑り車３２を経由して、外側にある第２滑り車３３を経由して、前記第２滑り車３３の近傍にある前記第２定位構造３３１に固定されると、上記のような構造によれば、両足の外側への展開運動をすることができる。また、引張力の大きさを調整するために、前記第１結合端４１は、前記第１ベースプレート１０と前記第２ベースプレート５０との前記規制具３０の前記第４定位構造３０２と前記第５定位構造３０３に固定されてもよい。
【００１８】
このとき、ユーザの両足がそれぞれ二つプレート２０にニーリングすると、二つの枢着溝２２を中心として、両足を外側に展開するときに、抵抗が発生し、なお、両足を内側にきつく挟むときに、抵抗が殆どない。このような構造によれば、両足の展開運動ときつく挟み運動を繰り返すことにより、太ももの外側にある筋肉および筋を充分に鍛錬することができる。
【００１９】
図１、図４、図７と図８に示すように、２本の弾性付きロープ４０の前記第１結合端４１は、それぞれ前記第１ベースプレート１０の内側にある第１滑り車３２の近傍の前記第１定位構造３２１に固定され、前記第２結合端４２は、内側にある第１滑り車３２を経由して、外側にある第２滑り車３３を経由して、前記規制具３０の前記第４定位構造３０２に固定されると、上記のような構造によれば、両足の内側へのきつく挟み運動をすることができる。また、引張力の大きさを調整するために、前記第２結合端４２は、前記第１ベースプレート１０と前記第２ベースプレート５０との前記規制具３０の前記第３定位構造３０１と前記第５定位構造３０３に固定されてもよい。
【００２０】
このとき、ユーザの両足がそれぞれ二つプレート２０にニーリングすると、二つの枢着溝２２を中心として、両足を内側にきつく挟むときに、抵抗が発生し、なお、両足を外側に展開するときに、抵抗が殆どない。このような構造によれば、両足の展開運動ときつく挟み運動を繰り返すことにより、太ももの内側にある筋肉および筋を充分に鍛錬することができる。
【産業上の利用可能性】
【００２１】
本考案は、健康機に適用することができる。
【符号の説明】
【００２２】
１０：第１ベースプレート
１１：第１案内溝
１２：第２案内溝
１３：剖開溝
１４：枢着台
１５：枢着台
２１：ローラ
２０：プレート
２２：枢着溝
３０：規制具
３１：ロック具
３２：第１滑り車
３３：第２滑り車
４０：弾性付きロープ
４１：第１結合端
４２：第２結合端
５０：第２ベースプレート
５４：枢着台
９０：連接台
９１：枢着構造
９２：ハンドル
９３：電子計数器
１４１：貫通孔
１５１：枢着ロッド
１５２：軸受
３０１：第３定位構造
３０２：第４定位構造
３０３：第５定位構造
３２１：第１定位構造
３３１：第２定位構造
５４１：貫通孔
９１１：枢着溝
９１２：ピン
９１１１：貫通孔
【図１】
0003160067.tif 000003
【図２】
0003160067.tif 000004
【図３】
0003160067.tif 000005
【図４】
0003160067.tif 000006
【図５】
0003160067.tif 000007
【図６】
0003160067.tif 000008
【図７】
0003160067.tif 000009
【図８】
0003160067.tif 000010
【図９】
0003160067.tif 000011